(57)【要約】【課題】無停電電源供給システム及び無停電電源装置を提供する。【解決手段】本発明の無停電電源供給システムは、動作モードが正常モードの場合には単相交流入力電圧を負荷及びバッテリへ提供し、動作モードが停電モードの場合にはバッテリの電力を単相交流出力電圧に変換して負荷へ提供する複数の無停電電源装置を含む。構成モードが単相並列モードの場合、複数の無停電電源装置それぞれは単相交流入力電圧の入力を共通に受けて単相交流出力電圧を共通に出力する。構成モードが３相モードの場合、複数の無停電電源装置は少なくとも３つの無停電電源装置を含み、前記少なくとも３つの無停電電源装置それぞれは３相交流入力電圧の互いに異なる相電圧の入力を独立に受けて３相交流出力電圧の互いに異なる相電圧を出力する。【選択図】図１
2013512650.tif 000002
【特許請求の範囲】
【請求項１】
動作モードが正常モードの場合には単相交流入力電圧を負荷及びバッテリへ提供し、前記動作モードが停電モードの場合には前記バッテリの電力を単相交流出力電圧に変換して前記負荷へ提供する複数の無停電電源装置を含み、
構成モードが単相並列モードの場合、前記複数の無停電電源装置それぞれは前記単相交流入力電圧の入力を共通に受け、前記単相交流出力電圧を共通に出力し、
前記構成モードが３相モードの場合、前記複数の無停電電源装置は少なくとも３つの無停電電源装置を含み、前記少なくとも３つの無停電電源装置それぞれは３相交流入力電圧の互いに異なる相電圧の入力を独立に受けて３相交流出力電圧の互いに異なる相電圧を出力することを特徴とする、無停電電源供給システム。
【請求項２】
前記複数の無停電電源装置それぞれは、前記構成モード及び前記構成モードによるパラメータを設定する設定部と、前記設定された構成モード及びパラメータに基づいて前記複数の無停電電源装置の動作モードを制御するプロセッサとを含む制御部を含むことを特徴とする、請求項１に記載の無停電電源供給システム。
【請求項３】
前記制御部は、前記構成モードが３相モードの場合、前記３相交流入力電圧の互いに異なる相電圧のレベル及び位相変化に応じて前記３相交流出力電圧の互いに異なる相電圧のレベル及び位相を独立に調節することを特徴とする、請求項２に記載の無停電電源供給システム。
【請求項４】
前記パラメータは、前記複数の無停電電源装置それぞれのＩＤ情報と、マスター及びスレーブ設定情報とを含むことを特徴とする、請求項３に記載の無停電電源供給システム。
【請求項５】
前記制御部は、前記３相交流入力電圧の互いに異なる相電圧のレベル又は位相変化を追跡して異常発生の有無及び復電か否かを独立に検出することを特徴とする、請求項４に記載の無停電電源供給システム。
【請求項６】
前記複数の無停電電源装置のうちスレーブ無停電電源装置の制御部は、前記異常発生の有無及び復電か否かを検出した場合、電源状態情報を前記複数の無停電電源装置のうちマスター無停電電源装置へ伝送することを特徴とする、請求項５に記載の無停電電源供給システム。
【請求項７】
前記マスター無停電電源装置の制御部は、前記スレーブ無停電電源装置から受信した前記電源状態情報に基づいて前記複数の無停電電源装置の動作モード変更の有無及び動作モード変更の同期時点を決定することを特徴とする、請求項６に記載の無停電電源供給システム。
【請求項８】
前記制御部は、前記電源状態情報をＣＡＮ（Ｃｏｎｔｒｏｌｌｅｒ  Ａｒｅａ  Ｎｅｔｗｏｒｋ）を介して送受信するＣＡＮ通信部と、前記電源状態情報の一部を１ビットの論理電圧レベルに変換して前記マスター無停電電源装置又は前記スレーブ無停電電源装置へ直接伝達する少なくとも一つの直接制御ライン（Ｄｉｒｅｃｔ  Ｃｏｎｔｒｏｌ  Ｌｉｎｅ）とをさらに含むことを特徴とする、請求項７に記載の無停電電源供給システム。
【請求項９】
前記制御部は、前記バッテリの電圧及び電流を検出し、前記検出されたバッテリの電圧及び電流に基づいてバッテリ供給電圧及び電流を調節するバッテリ充電制御部をさらに含むことを特徴とする、請求項８に記載の無停電電源供給システム。
【請求項１０】
前記複数の無停電電源装置は前記バッテリを共有することを特徴とする、請求項１に記載の無停電電源供給システム。
【請求項１１】
前記複数の無停電電源装置それぞれは、入力部及びバッテリを誘導結合し、前記単相交流入力電圧又は前記３相交流入力電圧の相電圧を直流電力に変換して前記バッテリへ伝達する第１変換回路と、出力部及び前記バッテリを誘導結合し、前記バッテリの電力を交流電力に変換して前記出力部へ伝達する第２変換回路と、を含むことを特徴とする、請求項１０に記載の無停電電源供給システム。
【請求項１２】
構成モードが単相並列モードの場合には単相交流入力電圧の入力を別途の単相無停電電源装置と共通に受けてバッテリに伝達し、前記構成モードが３相モードの場合には３相交流入力電圧の相電圧の入力を受けて前記バッテリへ伝達する第１変換回路と、
前記構成モードが前記単相並列モードの場合には前記バッテリの電力を単相交流出力電圧に変換して前記別途の単相無停電電源装置と共通に出力し、前記構成モードが前記３相モードの場合には前記バッテリの電力を３相交流出力電圧の相電圧に変換して出力する第２変換回路と、
前記構成モード及び前記構成モードによるパラメータを設定する設定部、及び前記設定された構成モード及びパラメータに基づいて前記第１及び第２変換回路の動作モードを制御するプロセッサを含む制御部と、を含んでなることを特徴とする、無停電電源装置。
【請求項１３】
前記制御部は、前記構成モードが前記３相モードの場合、前記３相交流入力電圧の相電圧のレベル及び位相変化に応じて、前記別途の無停電電源装置とは独立に前記３相交流出力電圧のレベル及び位相を調節することを特徴とする、請求項１２に記載の無停電電源装置。
【請求項１４】
前記制御部は、前記３相交流入力電圧の互いに異なる相電圧のレベル又は位相変化を追跡して異常発生の有無及び復電か否かを独立に検出した場合、電源状態情報を前記別途の無停電電源装置へ伝送することを特徴とする、請求項１３に記載の無停電電源装置。
【請求項１５】
前記制御部は、前記電源状態情報をＣＡＮ（Ｃｏｎｔｒｏｌｌｅｒ  Ａｒｅａ  Ｎｅｔｗｏｒｋ）を介して送受信するＣＡＮ通信部と、前記異常発生の有無及び前記復電か否かを１ビットの論理電圧レベルで直接伝達する少なくとも一つの直接制御ライン（Ｄｉｒｅｃｔ  Ｃｏｎｔｒｏｌ  Ｌｉｎｅ）とを含むことを特徴とする、請求項１４に記載の無停電電源装置。
【請求項１６】
前記無停電電源装置は前記別途の単相無停電電源装置と前記バッテリを共有することを特徴とする、請求項１２に記載の無停電電源装置。
【発明の詳細な説明】
【技術分野】
【０００１】
本発明は、電力供給技術に係り、特に、無停電電源供給システム及び無停電電源装置に関する。
【背景技術】
【０００２】
無停電電源装置（ＵＰＳ、Ｕｎｉｎｔｅｒｒｕｐｔｅｄ  Ｐｏｗｅｒ  Ｓｕｐｐｌｙ）は、一般に停電などの非常時にバッテリ又は別途の補助電源から生成された電力を負荷へ提供する装置である。停電時に無停電電源装置が動作するようにして数秒から数時間補助電源が電力を供給するので、負荷の電気設備を保護し且つ安全に終了することができる。
【０００３】
一般に、無停電電源装置は、コンピュータ保護装備に限定されず、データセンター、通信装備又はその他の電気装備の予期していない電源中断による損傷、深刻な業務中断、及びデータ損失を防止するために用いられる。
【発明の概要】
【課題を解決するための手段】
【０００４】
実施例において、無停電電源供給システムは、動作モードが正常モードの場合には単相交流入力電圧を負荷及びバッテリへ提供し、前記動作モードが停電モードの場合には前記バッテリの電力を単相交流出力電圧に変換して前記負荷へ提供する複数の無停電電源装置を含む。構成モードが単相並列モードの場合、前記複数の無停電電源装置それぞれは前記単相交流入力電圧の入力を共通に受けて前記単相交流出力電圧を共通に出力する。前記構成モードが３相モードの場合、前記複数の無停電電源装置は少なくとも３つの無停電電源装置を含み、前記少なくとも３つの無停電電源装置それぞれは３相交流入力電圧の互いに異なる相電圧の入力を独立に受けて３相交流出力電圧の互いに異なる相電圧を出力する。
【０００５】
実施例において、無停電電源装置は、第１変換回路、第２変換回路及び制御部を含む。前記第１変換回路は、バッテリと誘導結合され、構成モードが単相並列モードの場合には単相交流入力電圧の入力を別途の単相無停電電源装置と共通に受けて前記バッテリへ伝達し、前記構成モードが３相モードの場合には３相交流入力電圧の相電圧の入力を受けて前記バッテリへ伝達する。前記第２変換回路は、前記バッテリと誘導結合され、前記構成モードが前記単相並列モードの場合には前記バッテリの電力を単相交流出力電圧に変換して前記別途の単相無停電電源装置と共通に出力し、前記構成モードが前記３相モードの場合には前記バッテリの電力を３相交流出力電圧の相電圧に変換して出力する。前記制御部は設定部及びプロセッサを含む。前記設定部は前記構成モード及び構成モードによるパラメータを設定する。前記プロセッサは前記設定された構成モード及びパラメータに基づいて前記第１及び第２変換回路の動作モードを制御する。
【図面の簡単な説明】
【０００６】
【図１】無停電電源装置を示すブロック図である。
【図２】本発明の一実施例に係る無停電電源供給システムを示すブロック図である。
【図３】本発明の一実施例に係る無停電電源供給システムを示すブロック図である。
【図４】本発明の一実施例に係る無停電電源装置を示すブロック図である。
【図５】図４の無停電電源装置に含まれた制御部をより詳細に示すブロック図である。
【発明を実施するための形態】
【０００７】
本発明に関する説明は構造的又は機能的説明のための実施例に過ぎないので、本発明の権利範囲は本文に説明された実施例によって限定されるものと解釈されてはならない。すなわち、実施例は多様な変更が可能であり、様々な形態を有することができるので、本発明の権利範囲は技術的思想を実現することが可能な均等物を含むものと理解されてはならない。
【０００８】
一方、本明細書において述べられる用語の意味は次のように理解されるべきである。
【０００９】
「第１」、「第２」などの用語は一つの構成要素を他の構成要素から区別するためのものであり、これらの用語によって権利範囲が限定されてはならない。例えば、第１構成要素は第２構成要素と命名でき、同様に第２構成要素も第１構成要素と命名できる。
【００１０】
「及び／又は」の用語は、一つ以上の関連項目から提示可能な全ての組み合わせを含むものと理解されてはならない。例えば、「第１項目、第２項目及び／又は第３項目」の意味は第１、第２又は第３項目だけでなく、第１、第２又は第３項目の２つ以上から提示できる全ての項目の組み合わせを意味する。
【００１１】
ある構成要素が他の構成要素に「接続されて」いると言及されたときは、その他の構成要素に直接接続されてもよいが、中間に他の構成要素が存在してもよいと理解されるべきである。反面、ある構成要素が他の構成要素に「直接接続されて」いると言及されたときは、中間に他の構成要素が存在しないものと理解されるべきである。一方、構成要素間の関係を説明する他の表現、すなわち「〜の間に」と「直ちに〜の間に」又は「〜に隣り合う」と「〜に直接隣り合う」なども同様に解釈されるべきである。
【００１２】
単数の表現は、文脈上明白に異なる意味を有しない限り、複数の表現を含むものと理解されるべきであり、「含む」又は「有する」などの用語は、説示された特徴、数字、段階、動作、構成要素、部分品又はこれらの組み合わせが存在することを指定するものであり、一つ又はそれ以上の他の特徴、或いは数字、段階、動作、構成要素、部分品又はこれらの組み合わせの存在又は付加可能性を予め排除しないものと理解されるべきである。
【００１３】
各段階において、識別符号（例えば、ａ、ｂ、ｃ、・・・）は、説明の便宜のために使用されるものであり、各段階の順序を説明するのではない。各段階は、文脈上明白に特定の順序を記載していない限り、明記された順序とは違う順で起こりうる。すなわち、各段階は明記された順序と同様に行われてもよく、実質的に同時に行われてもよく、反対の順で行われてもよい。
ここで使用される全ての用語は、別途定義されない限り、本発明の属する分野における通常の知識を有する者によって一般に理解されるものと同一の意味をもつ。一般に使用される辞典に定義された用語は、関連技術の文脈上有する意味と一致するものと解釈されるべきであり、本明細書で明白に定義しない限り、理想的且つ過度に形式的な意味を有するものと解釈できない。
【００１４】
図１は無停電電源装置を示すブロック図である。
【００１５】
図１を参照すると、無停電電源装置１００と入力電源３００との間にはスイッチＳＷ１が接続され、無停電電源装置１００と負荷４００との間にもスイッチＳＷ２が接続される。バイパススイッチＳＷ３は、入力電源３００と負荷４００との間に接続され、無停電電源装置１００のメンテナンスのための作業遂行の際に入力電源３００の電力を直接負荷４００へ提供する。スイッチは絶縁ゲートバイポーラトランジスタ（ＩＧＢＴ、Ｉｎｓｕｌａｔｅｄ  Ｇａｔｅｄ  Ｂｉｐｏｌａｒ  Ｔｒａｎｓｉｓｔｏｒ）を用いて実現できる。
【００１６】
図２及び図３は本発明の一実施例に係る無停電電源要求システム１０００Ａ、１０００Ｂを示すブロック図である。
図２は構成モードが単相並列モードの場合の無停電電源供給システム１０００Ａを示すブロック図である。
図２を参照すると、無停電電源供給システム１０００Ａは複数の無停電電源装置１００Ａ〜１００Ｃを含む。複数の無停電電源装置１００Ａ〜１００ＣそれぞれはスイッチＳＷ１Ａ〜ＳＷ１Ｃ、ＳＷ２Ａ〜ＳＷ２Ｃ、ＳＷ３Ａ〜ＳＷ３Ｃを介して単相交流入力電圧及び負荷に接続される。複数の無停電電源装置１００Ａ〜１００Ｃそれぞれは、動作モードが正常モードの場合には単相交流入力電圧３００Ａを負荷４００Ａ及びバッテリ２００へ提供し、動作モードが停電モードの場合にはバッテリ２００の電力を単相交流出力電圧に変換して負荷４００へ提供する。
正常モードで、各無停電電源装置ＳＷ１Ａ〜ＳＷ１Ｃ、ＳＷ２Ａ〜ＳＷ２Ｃ、ＳＷ３Ａ〜ＳＷ３Ｃは、単相交流入力電圧ＶＩを負荷４００Ａへ提供しながらバッテリ２００を充電することができる。単相交流入力電圧３００Ａを介して供給される電力が中断し或いは入力電圧レベル及び位相が急激に変わるなど電力流れが不安定な場合、各無停電電源装置ＳＷ１Ａ〜ＳＷ１Ｃ、ＳＷ２Ａ〜ＳＷ２Ｃ、ＳＷ３Ａ〜ＳＷ３Ｃは停電モードで動作することができる。この場合、充電されたバッテリ２００の電力を単相交流出力電圧に変換して負荷４００Ａへ提供する。
無停電電源供給システム１０００Ａの構成モードは単相並列モード及び３相モードを含む。図２に示すように、無停電電源供給システム１０００Ａの構成モードが単相並列モードの場合、複数の無停電電源装置１００Ａ〜１００Ｃは並列に接続される。よって、複数の無停電電源装置１００Ａ〜１００Ｃそれぞれは単相交流入力電圧ＶＩの入力を共通に受け、単相交流出力電圧ＶＯを共通に出力する。並列に接続された無停電電源装置１００Ａ〜１００Ｃはバッテリ２００を共有することができる。
図３は構成モードが３相モードの場合の無停電電源供給システム１０００Ｂを示すブロック図である。
図３を参照すると、無停電電源供給システム１０００Ｂは、単相並列モードだけでなく、３相モードで構成できる。複数の無停電電源装置１００Ａ〜１００Ｃそれぞれは動作モードに応じて単相交流入力電圧ＶＩＡ、ＶＩＢ、ＶＩＣを負荷４００Ｂ及びバッテリ２００へ提供し、或いはバッテリ２００の電力を単相交流出力電圧に変換して負荷４００Ｂへ提供する。
無停電電源供給システム１０００Ｂの構成モードが３相モードの場合、複数の無停電電源装置は少なくとも３つの無停電電源装置１００Ａ〜１００Ｃを含むことができる。少なくとも３つの無停電電源装置それぞれ１００Ａ〜１００Ｃは、３相交流入力電圧の互いに異なる相電圧ＶＩＡ〜ＶＩＣの入力を独立に受け、３相交流出力電圧の互いに異なる相電圧ＶＯＡ〜ＶＯＣを出力する。
図４は本発明の一実施例に係る無停電電源装置１００を示すブロック図である。
【００１７】
図４の無停電電源装置は、図２及び図３の無停電電源供給システム１０００Ａ、１０００Ｂに含まれた無停電電源装置１００Ａ〜１００Ｃのいずれか一つを示す。
図４を参照すると、無停電電源装置１００は第１変換回路１１０、第２変換回路１２０及び制御部１３０を含む。
第１変換回路１１０は、無停電電源装置１００の構成モードが単相並列モードの場合、単相交流入力電圧の入力を別途の単相無停電電源装置（図示せず）と共通に受けてバッテリへ伝達する。また、第１変換回路１１０は、無停電電源装置１００の構成モードが３相モードの場合、３相交流入力電圧の相電圧の入力を受けてバッテリ２００へ伝達する。
第２変換回路１２０は、無停電電源装置１００の構成モードが単相並列モードの場合、バッテリ２００の電力を単相交流出力電圧に変換して別途の単相無停電電源装置と共通に出力する。また、第２変換回路１２０は、無停電電源装置１００の構成モードが３相モードの場合、バッテリ２００の電力を３相交流出力電圧の相電圧に変換して出力する。
無停電電源装置１００の制御部１３０は設定部及びプロセッサを含む。設定部は無停電電源装置の構成モード及び構成モードによるパラメータを設定し、プロセッサは設定された構成モード及びパラメータに基づいて第１及び第２変換回路１１０、１２０の動作モードを制御する。
図５は図４の無停電電源装置１００に含まれた制御部１３０をより詳細に示すブロック図である。
図５を参照すると、制御部１３０は設定部１３１及びプロセッサ１３２を含む。設定部１３１は無停電電源装置１００の構成モード及び構成モードによるパラメータを設定する。すなわち、設定部１３１は無停電電源装置１００又は無停電電源供給システム１０００Ａ、１０００Ｂが単相並列モードで用いられるか、３相モードで用いられるかを設定することができる。すなわち、設定部１３１は、無停電電源装置１００の外部パネルを介して入力されるユーザーの入力によって構成モードを変更することができる。プロセッサ１３２は設定された構成モード及びパラメータに基づいて無停電電源装置の動作モードを制御する。プロセッサ１３２はデジタル信号処理（Ｄｉｇｉｔａｌ  Ｓｉｇｎａｌ  Ｐｒｏｃｅｓｓｉｎｇ）のためのマイクロプロセッサユニット（Ｍｉｃｒｏｐｒｏｃｅｓｓｏｒ  Ｕｎｉｔ）に相応することができる。
制御部１３０はバッテリ充電制御部１３３をさらに含むことができる。バッテリ充電制御部１３３はバッテリの電圧及び電流を検出し、検出されたバッテリの電圧及び電流に基づいてバッテリ供給電圧及び電流を調節する。
以下、図３及び図５を参照して、構成モードが３相モードの場合の無停電電源供給システムの動作について説明する。
設定部１３１はユーザーの入力によって無停電電源供給システム１０００Ｂの構成モードを３相モードに設定する。構成モードが３相モードに設定される場合、追加のパラメータを設定することができる。パラメータは３つの無停電電源装置１００Ａ〜１００ＣそれぞれのＩＤ情報及び無停電電源装置１００Ａ〜１００Ｃそれぞれのマスター又はスレーブ設定情報を含むことができる。すなわち、ユーザーは設定部を用いて複数の無停電電源装置を識別するＩＤを設定することができ、複数の無停電電源装置のいずれか一つをマスター無停電電源装置１００Ａとして設定し、残りをスレーブ無停電電源装置１００Ｂ、１００Ｃとして設定することができる。このために、設定部１３１はＩＤ選択部１３１Ａ及びマスタースレーブ選択部１３１Ｂを含むことができる。
無停電電源供給システムの構成モードが３相モードの場合、少なくとも３つの無停電電源装置１００Ａ〜１００Ｃそれぞれの制御部１３０は、３相交流入力電圧の互いに異なる相電圧のレベル又は位相変化を追跡して異常発生の有無及び復電か否かを独立に検出する。また、制御部１３０は３相交流入力電圧ＶＩＡ〜ＶＩＣの互いに異なる相電圧のレベル及び位相変化に応じて３相交流出力電圧ＶＯＡ〜ＶＯＣの互いに異なる相電圧のレベル及び位相を独立に調節する。一般に、入力電圧と出力電圧の変換過程で共通鉄心を用いる変圧回路を使用する場合、３相電圧のうちいずれか一つの相電圧のレベル及び位相が急激に変わるときに他の相電圧もこれに影響されて出力電圧の品質が低下するおそれがある。一実施例に係る無停電電源供給システム１０００Ｂは３相モードで独立に分離された無停電電源装置が各相電圧のレベルと位相を調節して他の相電圧間の影響を減らすことができる。
無停電電源供給システム１０００Ｂは、停電状態になるとき或いはさらに復電するときに、３つの無停電電源装置１００Ａ、１００Ｂ、１００Ｃから負荷へ提供される各相電圧ＶＯＡ、ＶＯＢ、ＶＯＣの位相同期を合わせるために、伝送ラインＣＬを介して電源状態情報を送受信することができる。伝送ラインＣＬは、電源状態情報の一部（例えば、入力電圧の異常発生の有無及び復電か否か）を１ビットの論理電圧レベルで直接伝達する少なくとも一つの直接制御ライン（Ｄｉｒｅｃｔ  Ｃｏｎｔｒｏｌ  Ｌｉｎｅ）ＣＬ１及びＣＡＮ通信のためにデータを送受信する通信ラインＣＬ２を含むことができる。直接制御ラインＣＬ１は、電源状態情報のうち緊急を要する一部の情報を１ビットの論理電圧レベルで直接伝達して迅速に無停電電源装置１００Ａ、１００Ｂ、１００Ｃの動作モードを制御することができる。
例えば、３相交流入力電圧ＶＩＡ、ＶＩＢ、ＶＩＣのいずれか一つＶＩＡに異常が発生すると、異常発生を検出した無停電電源装置１００Ａは異常発生の有無を１ビットの論理伝達レベルに変換して残りの無停電電源装置１００Ｂ、１００Ｃへ伝達する。その後、残りの電源状態情報はＣＡＮ（Ｃｏｎｔｒｏｌｌｅｒ  Ａｒｅａ  Ｎｅｔｗｏｒｋ）通信を用いて無停電電源装置の間に伝送できる。よって、無停電電源装置１００の制御部１３０は、電源状態情報をＣＡＮを介して送受信するＣＡＮ通信部（ＣＡＮ  ＣＯＭＭＵＮＩＣＡＴＩＯＮ  ＵＮＩＴ）を含む。
以下、３相モードで少なくとも３つの無停電電源装置１００Ａ、１００Ｂ、１００Ｃのうち一つ１００Ａをマスター無停電電源装置として設定し、残りをスレーブ無停電電源装置１００Ｂ、１００Ｃとして設定したと仮定し、無停電電源装置の動作について説明する。
一実施例において、少なくとも３つの無停電電源のうちスレーブ無停電電源装置１００Ｂ、１００Ｃに含まれた制御部は、３相交流入力電圧ＶＩＡ、ＶＩＢ、ＶＩＣの異常発生の有無を検出し或いは復電か否かを検出した場合、電源状態情報をマスター無停電電源装置１００Ａへ伝送する。
スレーブ無停電電源装置１００Ｂ、１００Ｃが伝送する電源状態情報は、入力交流電圧の相電圧のレベル及び位相情報を含むことができ、特定の無停電電源装置の正常動作か否かに関する情報をさらに含むこともできる。
マスター無停電電源装置１００Ａの制御部は、スレーブ無停電電源装置１００Ｂ、１００Ｃから受信した電源状態情報に基づいて少なくとも３つの無停電電源装置１００Ａ、１００Ｂ、１００Ｃの動作モード変更の有無及び動作モード変更の同期時点を決定する。すなわち、マスター無停電電源装置１００Ａは受信した電源状態情報に基づいて最終的に動作モードを変更するか否かを決定することができ、動作モードを変更するタイミングを決定することができる。
停電の際又は復電の際に無停電電源装置の動作モードを変更するときに大きい位相差が発生すると、瞬間的に高電圧又は高電流が発生しうるが、このような問題は３相の相電圧ラインだけでなく中性線からも発生しうる。一実施例では、無停電電源装置１００Ａ、１００Ｂ、１００Ｃの動作モード変更の際にマスター無停電電源装置１００Ａが各相電圧の位相同期時点を決定して急激な位相差の発生を減らすことができる。
一実施例に係る無停電電源供給システム１０００Ｂに含まれた無停電電源装置１００Ａ、１００Ｂ、１００Ｃはバッテリを共有することができる。このために、無停電電源装置１００Ａ、１００Ｂ、１００Ｃそれぞれに含まれた第１及び第２変換回路１１０、１２０はバッテリ２００と無停電電源装置１００Ａ、１００Ｂ、１００Ｃの入出力部とを絶縁させることができる。すなわち、入出力部とバッテリ２００は第１及び第２変換回路によって誘導的に結合される。
制御部１３０に含まれたバッテリ充電制御部１３３は、バッテリの電圧及び電流を検出し、検出されたバッテリの電圧及び電流に基づいて時間によるバッテリ供給電圧及び電流を調節することができる。バッテリ充電制御部１３３は、バッテリの放電量に応じて、充電初期には均等充電を行い、満充電状態になった場合には浮動充電を行うことができる。
本発明は次の効果を持つことができる。但し、特定の実施例が次の効果を全て含むべき或いは次の効果のみを含むべきという意味ではないので、本発明の権利範囲はこれによって制限されるものと理解されてはならない。
一実施例に係る無停電電源供給システム及び無停電電源装置は、ユーザーの入力による設定で単相並列モード又は３相モードに変更することができて様々な形態の交流電力に利用でき、複数の無停電電源装置がバッテリを共有することができてコストが節減されるうえ、メンテナンスが容易である。
一実施例に係る無停電電源供給システム及び無停電電源装置は、３相モードで各相電圧に対して独立な補償を行って３相の電圧平衡を保つことができ、負荷の動作安定性を向上させることができる。
以上、本発明の好適な実施例を参照して説明したが、該当技術分野における当業者は、下記の特許請求の範囲に記載された本発明の思想及び領域から逸脱しない範疇内において、本発明を様々に修正及び変更させることができることを理解するであろう。
【図１】
2013512650.tif 000003
【図２】
2013512650.tif 000004
【図３】
2013512650.tif 000005
【図４】
2013512650.tif 000006
【図５】
2013512650.tif 000007
【国際調査報告】
2013512650.tif 000008
2013512650.tif 000009
2013512650.tif 000010
2013512650.tif 000011